(57)【要約】【課題】外壁面材を屋外側からのアクセスのみで施工容易に取り付けることができ、しかも、それを低コストで実現でき、仕上がりの外観体裁も良好で、また、外壁面材の交換も容易に行える外壁面材の取付け方法等を提供する。【解決手段】隣り合う外壁面材３，３の対向部に係合溝６，６が設けられ、取付け金物５は本体金物７とピン８とを備え、本体金物７はベース板部９と第１，２の爪板部１０，１１とを備え、取付け金物５は、第１，第２の爪板部がベース板部の中央側に寄せられピン８に係合されて本体金物７を弾性変形状態に保持したものからなる。この取付け金物５を、屋外側から、隣合う外壁面材間にセットし、屋外側からピン８を抜き第１，第２の爪板部１０，１１を外壁面材の溝６に突出させ、本体金物のベース板部を屋外側から背後の柱１に取り付ける。【選択図】      図１
2006257690.tif 000002
【特許請求の範囲】
【請求項１】
隣り合う各外壁面材の各対向部に取付け金物を係合させる溝が設けられ、これら外壁面材をそれらの間の目地を通じて屋外から背後の取付け下地に取付け金物で取り付ける外壁面材の取付け方法であって、
取付け金物が本体金物とピンとを備え、
本体金物は、
背後の取付け下地に取り付けられるベース板部と、
該ベース板部の一方の側縁部から立ち上げられ、一方の外壁面材の溝内に突出して該一方の外壁面材を係合保持するＬ形第１爪板部と、
ベース板部のもう一方の側縁部から立ち上げられ、もう一方の外壁面材の溝内に突出して該もう一方の外壁面材を係合保持するＬ形第２爪板部と
を備え、
取付け金物は、第１，第２の爪板部がベース板部の中央側に寄せられピンに係合されて本体金物を弾性変形状態に保持したものからなり、
該取付け金物を、屋外側から、隣合う外壁面材間にセットし、該取付け金物から屋外側からピンを抜いて弾性復元力で本体金物の第１，第２の爪板部を各外壁面材の溝部に突出させ、相前後して、本体金物のベース板部を屋外側から背後の取付け下地に取り付けることを特徴とする外壁面材の取付け方法。
【請求項２】
隣り合う各外壁面材の各対向部に設けられた取付け用の係合溝を利用して、これら外壁面材をそれらの間の目地を通じて屋外から背後の取付け下地に取り付けるのに用いられる外壁面材取付け金物であって、
本体金物とピンとを備え、
本体金物は、
背後の取付け下地に取り付けられるベース板部と、
該ベース板部の一方の側縁部から立ち上げられ、一方の外壁面材の溝内に突出して該一方の外壁面材を係合保持するＬ形第１爪板部と、
ベース板部のもう一方の側縁部から立ち上げられ、もう一方の外壁面材の溝内に突出して該もう一方の外壁面材を係合保持するＬ形第２爪板部と
を備えており、
第１，第２の爪板部がベース板部の中央側に寄せられピンに係合されて本体金物を弾性変形状態に保持したものからなっていることを特徴とする外壁面材取付け金物。
【発明の詳細な説明】
【技術分野】
【０００１】
本発明は、外壁面材の取付け方法及び取付け金物に関する。
【背景技術】
【０００２】
外壁面材の取付け方法として、従来より様々の方法が提供されているが、外壁面材を屋外側からのアクセスのみで施工容易に取り付けることができ、しかも、それを低コストで実現することができ、仕上がりの外観体裁も良好で、また、外壁面材の交換も容易に行うことができる取付け方法は、未だ提供されていない。
【発明の開示】
【発明が解決しようとする課題】
【０００３】
本発明は、上記のような背景において、外壁面材を屋外側からのアクセスのみで施工容易に取り付けることができ、しかも、それを低コストで実現することができ、仕上がりの外観体裁も良好で、また、外壁面材の交換も容易に行うことができる、外壁面材の取付け方法及び取付け金物を提供することを課題とする。
【課題を解決するための手段】
【０００４】
上記の課題は、隣り合う各外壁面材の各対向部に取付け金物を係合させる溝が設けられ、これら外壁面材をそれらの間の目地を通じて屋外から背後の取付け下地に取付け金物で取り付ける外壁面材の取付け方法であって、
取付け金物が本体金物とピンとを備え、
本体金物は、
背後の取付け下地に取り付けられるベース板部と、
該ベース板部の一方の側縁部から立ち上げられ、一方の外壁面材の溝内に突出して該一方の外壁面材を係合保持するＬ形第１爪板部と、
ベース板部のもう一方の側縁部から立ち上げられ、もう一方の外壁面材の溝内に突出して該もう一方の外壁面材を係合保持するＬ形第２爪板部と
を備え、
取付け金物は、第１，第２の爪板部がベース板部の中央側に寄せられピンに係合されて本体金物を弾性変形状態に保持したものからなり、
該取付け金物を、屋外側から、隣合う外壁面材間にセットし、該取付け金物から屋外側からピンを抜いて弾性復元力で本体金物の第１，第２の爪板部を各外壁面材の溝部に突出させ、相前後して、本体金物のベース板部を屋外側から背後の取付け下地に取り付けることを特徴とする外壁面材の取付け方法によって解決される。
【０００５】
また、隣り合う各外壁面材の各対向部に設けられた取付け用の係合溝を利用して、これら外壁面材をそれらの間の目地を通じて屋外から背後の取付け下地に取り付けるのに用いられる外壁面材取付け金物であって、
本体金物とピンとを備え、
本体金物は、
背後の取付け下地に取り付けられるベース板部と、
該ベース板部の一方の側縁部から立ち上げられ、一方の外壁面材の溝内に突出して該一方の外壁面材を係合保持するＬ形第１爪板部と、
ベース板部のもう一方の側縁部から立ち上げられ、もう一方の外壁面材の溝内に突出して該もう一方の外壁面材を係合保持するＬ形第２爪板部と
を備えており、
第１，第２の爪板部がベース板部の中央側に寄せられピンに係合されて本体金物を弾性変形状態に保持したものからなっていることを特徴とする外壁面材取付け金物によって解決される。
【０００６】
これら外壁面材の取付け方法及び取付け金物では、本体金物をピンで幅狭の弾性変形状態に保持した取付け金物を用いて外壁面材の取付けを行うようにしたものであることにより、外壁面材間への取付け金物のセッティングと、該取付け金物からのピン抜きと、背後の取付け下地への本体金物ベース板部の取付けとを、すべて屋外から行うことができて、外壁面材の取付けを屋外からのアクセスのみで施工容易に行うことができる。
【０００７】
しかも、本体金物とピンとで形成された取付け金物を用いてそれを実現するものであるから、外壁面材を低コストで取り付けることができる。
【０００８】
また、隣り合う各外壁面材の各対向部に設けられた取付け用の係合溝を利用して、外壁面材を取付け金物で取り付けるものであるから、取付け状態において、本体金物の爪板部は、外壁面材の溝内に隠され、取付け後の外壁の仕上がり外観体裁も良好なものにすることができる。
【０００９】
更に、外壁面材の交換を行う場合には、本体金物のベース板部と背後の取付け下地との結合を屋外から目地を通じて解除すれば、旧い外壁面材と本体金物を取り外すことができ、また、新たな外壁面材の取付けは、上述したのと同じ要領で取付け金物を用いて屋外側から行うことができて、外壁面材の交換も容易に行うことができる。
【発明の効果】
【００１０】
本発明は、以上のとおりのものであるから、外壁面材を屋外側からのアクセスのみで施工容易に取り付けることができ、しかも、それを低コストで実現することができ、仕上がりの外観体裁も良好で、また、外壁面材の交換も容易に行うことができる。
【発明を実施するための最良の形態】
【００１１】
次に、本発明の実施最良形態を図面に基づいて説明する。
【００１２】
図１（イ）に示す実施形態の外壁構造において、１は背後の取付け下地としての柱、２は外壁のパネルフレーム、３は外壁面材であり、外壁面材３は予めパネルフレーム２に対し上下の縁部領域においてのみ結合されて外壁パネル４を構成し、建方では、外壁面材３は外壁パネルとしてパネルフレーム２と共に建物に設置され、その後、外壁面材３の左右の側縁部が取付け金物５で柱１に取り付けられ、取付け金物５による取付けのため、左右に隣り合う各外壁面材３，３の各対向部には、取付け金物５を係合させる溝６が設けられている。
【００１３】
取付け金物５は、図１（ロ）（ハ）に示すように、本体金物７とピン８とを備えており、本体金物７は、取付け下地である柱１に取り付けられる帯板状のベース板部９と、ベース板部９の一方の側縁部の中央から立ち上げられ、一方の外壁面材３の溝６内に突出して該一方の外壁面材３を係合保持する一つのＬ形第１爪板部１０と、ベース板部９のもう一方の側縁部において、中央を挟む両側に位置して立ち上げられ、もう一方の外壁面材３の溝６内に突出して該もう一方の外壁面材３を係合保持する２つのＬ形第２爪板部１１，１１と備えたものからなっている。
【００１４】
そして、取付け金物５は、図１（ロ）に示すように、本体金物７の第１，第２の爪板部１０，１１，１１がベース板部９の中央側に寄せられ、ピン８が爪板部１０，１１，１１に係合されるように通されて本体金物７を弾性変形状態に保持したものからなっている。なお、ピン８の端部には、引抜きのための引掛け部８ａが備えられている。
【００１５】
隣り合う外壁面材３，３の取付けは、上記の取付け金物５を用いて次のようにして行う。即ち、図２（イ）（ロ）に示すように、外壁パネル４，４を用い、そのパネルフレーム２，２を柱１の側部に位置させるように設置してパネルフレーム２，２と柱１を固定したのち、図２（ロ）（ハ）に示すように、屋外から、隣り合う左右の外壁面材３，３間に取付け金物５をセットする。しかる後、図１（ロ）に示すように、ハサミ式の工具１２を用い、一方のアーム１２ａをピン８の引掛け部に引っ掛けると共に、もう一方のアーム１２ｂを本体金物７に掛け、工具１２を開いて取付け金物５からピン８を抜くと、本体金物７が、図２（ニ）に示すように、復元して第１，第２の各爪板部１０，１１が各外壁面材３，３の溝６，６内に突出した状態となる。しかる後、同図に示すように、屋外からビス１３で本体金物７のベース板部９を柱１に打ち込んで固定すれば、外壁面材３，３は柱１に取り付けられる。
【００１６】
このように、上記の取付け金物５を用いた外壁面材の取付け方法によれば、本体金物７をピン８で幅狭の弾性変形状態に保持した取付け金物５を使用するものであることにより、隣合う外壁面材３，３間への取付け金物５のセッティングと、取付け金物５からのピン抜きと、背後の柱１への本体金物ベース板部９の取付けとをすべて屋外から行うことができ、外壁面材３，３の取付けを施工容易に行うことができる。
【００１７】
しかも、本体金物７とピン８とで形成された取付け金物５を用いてそれを実現するものであるから、外壁面材３，３を低コストで取り付けることができる。
【００１８】
また、隣り合う各外壁面材３，３の各対向部に設けられた取付け用の係合溝６，６を利用して、外壁面材３，３を取付け金物５で取り付けるものであるから、取付け状態において、本体金物７の爪板部１０，１１，１１は、外壁面材３，３の溝６，６内に隠れ、取付け後の外壁の仕上がり外観体裁も良好なものにすることができる。
【００１９】
また、外壁面材３，３の交換を行う場合には、図３（イ）に示すように、屋外からビス１３を抜いて本体金物７を柱１に対してフリーにすれば、図３（ロ）に示すように、旧い外壁面材３，３と本体金物７を取り外すことができ、図３（ロ）（ハ）に示すように、新たな外壁面材３，３の取付けは、取付け金物５を用いて、上述したのと同じ要領で屋外側から行うことができて、外壁面材の交換も容易に遂行することができる。
【００２０】
以上に、本発明の実施形態を示したが、本発明はこれに限られるものではなく、発明思想を逸脱しない範囲で各種の変更が可能である。例えば、上記の実施形態では、取付け金物５の本体金物７として、第１爪板部１０が１つ、第２爪板部１１が２つ千鳥配置で備えられ、ピン８をこれら爪板部１０，１１，１１に係合させるだけの簡素な構成で本体金物７を弾性保持状態にした場合を示しているが、第１爪板部１０が少なくとも１つ、第２爪板部１１が少なくとも２つ、千鳥配置で備えられていれば、同様にピン８をそれら爪板部１０，１１，１１に係合させるだけの簡素な構成で本体金物７を弾性保持状態にすることができるし、また、これらに限らず、第１爪板部と第２爪板部とが同じ位相配置で備えられ、Ｕ字形のピンをそれら爪板部に係合させて弾性変形状態を保持するようになされたものであってもよいし、本体金物にピン係合部を設け、該ピン係合部を利用してピンを第１，第２爪板部に係合させて弾性変形状態を保持するようにしたものであってもよい。
【図面の簡単な説明】
【００２１】
【図１】図（イ）は実施形態方法で外壁面材が取り付けられた外壁の一部切欠き断面斜視図、図（ロ）は取付け金物とピン抜き工具を示す斜視図、図（ハ）は本体金物からピンを抜いた状態の斜視図である。
【図２】図（イ）〜図（ニ）は外壁面材の取付け方法を順次に示す断面平面図である。
【図３】図（イ）〜図（ニ）は外壁面材の交換方法を順次に示す断面平面図である。
【符号の説明】
【００２２】
１…柱（取付け下地）
３…外壁面材
５…取付け金物
６…係合溝
７…本体金物
８…ピン
９…ベース板部
１０…第１爪板部
１１…第２爪板部
１３…ビス
【図１】
2006257690.tif 000003
【図２】
2006257690.tif 000004
【図３】
2006257690.tif 000005